(57)【要約】【課題】車両の室内の揮発性有機化合物を効率よく低減除去することができる簡易な自動車内装部品用製品カバーを提案する。【解決手段】自動車内装部品１０の外表面を覆う製品カバー１５であり、自動車内装部品１０の外表面を、外部との空気の流通を低減又は阻害するように覆う透明樹脂フィルム２１を備え、この透明樹脂フィルム２１に揮発性有機化合物を低減除去する物質２０が含有されている。【選択図】図１
2007191668.tif 000002
【特許請求の範囲】
【請求項１】
自動車内装部品の外表面を覆う製品カバーであって、
外部との空気の流通を低減又は阻害するように自動車内装部品の外表面を覆う樹脂フィルムを備え、この樹脂フィルムに揮発性有機化合物を低減除去する物質が含有されていることを特徴とする自動車内装部品用製品カバー。
【請求項２】
樹脂フィルムが、透明性を有すると共に、揮発性有機化合物を低減除去する物質として光触媒を含有し、樹脂フィルムの表裏両面に少なくとも一部の光触媒の表面が露出されていることを特徴とする請求項１に記載の自動車内装部品用製品カバー。
【請求項３】
樹脂フィルムにより自動車内装部品の収容部が形成されていることを特徴とする請求項１又は２に記載の自動車内装部品用製品カバー。
【請求項４】
自動車内装部品が車両用シートであり、シートバックを収容するシートバック収容部と、シートクッションを収容するシートクッション収容部とを備えることを特徴とする請求項３に記載の自動車内装部品用製品カバー。
【発明の詳細な説明】
【技術分野】
【０００１】
本発明は、車両の室内に配置される自動車内装部品を覆うための製品カバーに関する。
【背景技術】
【０００２】
車両の室内には、車両用シート等、樹脂や皮革、化学繊維等を有する多数の自動車内装部品が配置されており、また各種の接着剤や塗料などが使用されているため、多数の化学物質が存在する。これらの化学物質からは揮発性有機化合物（ＶＯＣ）が生じることも多く、異臭などの原因となっている。車両の室内は、通常、気密性が高く、ドアや窓を閉塞するなど、換気を行わない状態では、そのような揮発性有機化合物が拡散された空気を置換し難い。
【０００３】
そのため、下記特許文献１では、車両の室内の揮発性有機化合物等の異臭原因を除去するために、着座者が接する側と反対側のシート構成部分に、光触媒を含有するコーティングが設けられた車両用シートが提案されている。
【０００４】
この車両用シートによれば、車両の室内の空気清浄を行うための装備を別に配置しなくても、車両の室内の空気を清浄にして不快な臭いを除去することができるとされている。
【０００５】
また、下記特許文献２では、気密性の高い建物等の室内などに用いられる揮発性有機化合物除去材が提案されている。この揮発性有機化合物除去材は、光触媒と、分解生成物を補足するための補足物質とを、基材に固定した構成を有している。
【０００６】
この揮発性有機化合物除去材では、気密性の高い室内で発生する揮発性有機化合物を光触媒により分解し、この分解により生成される物質を補足物質により補足することができるため、室内の揮発性有機化合物を軽減除去することが可能であるとされている。
【特許文献１】特開２００４−３３８６１８号公報
【特許文献２】特開２０００−２１０３７４号公報
【発明の開示】
【発明が解決しようとする課題】
【０００７】
しかしながら、室内に存在する分解対象の揮発性有機化合物は、通常低濃度であり、また、室内の容積に対する十分な触媒の表面積を確保することは容易でないため、揮発性有機化合物を十分に低減するには、例えば、強い光を照射して光触媒の活性を高めたり、多量の光触媒を用いなければならず、或いは、分解生成物を更に分解することが容易でないために、分解生成物を触媒とは別に補足体を用いて補足して除去しなければならず、揮発性有機化合物を効率よく低減することができなかった。
【０００８】
本発明は、車両の室内の揮発性有機化合物を効率よく低減除去することができる簡易な自動車内装部品用製品カバーを提案することを目的とする。
【課題を解決するための手段】
【０００９】
上記課題を解決する請求項１に記載の発明は、自動車内装部品の外表面を覆う製品カバーであって、外部との空気の流通を低減又は阻害するように自動車内装部品の外表面を覆う樹脂フィルムを備え、この樹脂フィルムに揮発性有機化合物を低減除去する物質が含有されていることを特徴とする。
【００１０】
請求項２に記載の発明は、樹脂フィルムが、透明性を有すると共に、揮発性有機化合物を低減除去する物質として光触媒を含有し、樹脂フィルムの表裏両面に少なくとも一部の光触媒の表面が露出されていることを特徴とする。
【００１１】
請求項３に記載の発明は、樹脂フィルムにより自動車内装部品の収容部が形成されていることを特徴とする。
【００１２】
請求項４に記載の発明は、自動車内装部品が車両用シートであり、シートバックを収容するシートバック収容部と、シートクッションを収容するシートクッション収容部とを備えることを特徴とする。
【発明の効果】
【００１３】
請求項１に記載の発明によれば、車両の室内に配置されて揮発性有機化合物の発生源となる自動車内装部品の外表面を、外部との空気の流通を低減又は阻害するように覆う樹脂フィルムを備えているので、自動車内装部品から発生する揮発性有機化合物を樹脂フィルム内に滞留させ易く、揮発性有機化合物が車両の室内全体に拡散され難い。
【００１４】
この状態で、樹脂フィルムに揮発性有機化合物を低減除去する物質が含有されているので、樹脂フィルム内に滞留する揮発性有機化合物が樹脂フィルムの内面に接触して低減除去される。そのため、揮発性有機化合物を発生源付近でより高い濃度で処理することが可能である。同時に、車両の室内に拡散されている揮発性有機化合物をも車両の室内に暴露されている樹脂フィルムの表面に接触して低減除去することが可能である。
そのため、車両の室内の揮発性有機化合物を効率よく低減除去することができる。
【００１５】
請求項２に記載の発明によれば、透明性を有する樹脂フィルムに光触媒が含有され、光触媒の表面が樹脂フィルムの表裏両面に露出されているので、外部から透明樹脂フィルムを透過した光で活性化された光触媒により、樹脂フィルム内に滞留する揮発性有機化合物を分解することができると共に、透明樹脂フィルムの外表面側に存在する光触媒により車両の室内に拡散されている揮発性有機化合物を分解することができる。
その際、外部から透明性を有する樹脂フィルムを透過した光により光触媒を活性化できるので、特別な光源を用いたり、多量の触媒を用いる必要がなく、簡易に車両の室内の揮発性有機化合物を分解して低減除去することが可能である。
【００１６】
請求項３に記載の発明によれば、樹脂フィルムにより自動車内装部品の収容部が形成されているので、自動車内装部品から発生する揮発性有機化合物や、その揮発性有機化合物の分解等により生じる新たな揮発性有機化合物を、樹脂フィルム内に滞留させることが容易で、自動車内装部品から発生する揮発性有機化合物をより効率よく低減除去し易い。
【００１７】
請求項４に記載の発明によれば、自動車内装部品が車両用シートであって、製品カバーが、シートバックを収容するシートバック収容部と、シートクッションを収容するシートクッション収容部とを備えているので、車両用シートをより小さい容積で覆うことができ、車両用シートから発生する揮発性有機化合物をより効率よく低減除去することが可能であると共に、カバーの外表面の面積を確保し易いため、車両の室内に分散された揮発性有機化合部をより低減除去させ易い。
【発明を実施するための最良の形態】
【００１８】
以下、この発明の実施の形態について説明する。
図１は車両用シートに製品カバーを被覆した例を示す。
図において、符号１０は、車両の室内に配置される自動車内装部品としての車両用シートであり、符号１５はその外表面を覆う製品カバーとしてのシート用カバーである。ここでは、シート用カバー１５は、車両用シート１０の製造後から使用開始時までの間装着されるものである。
【００１９】
車両用シート１０は、シートバック１１とシートクッション１２とが回動可能に枢支された構成を有する。これらのシートバック１１及びシートクッション１２は、一般に金属性のフレームに、ウレタン等の発泡樹脂や合成繊維などからなるパッドや、その表面を覆う布地、革、合成皮革、或いは樹脂成形品などが装着され、必要に応じて接着剤などが使用されている。
【００２０】
シート用カバー１５は、シートバック１１を収容するシートバック収容部１６と、シートクッション１２を収容するシートクッション収容部１７と、ヘッドレスト１３を収容するヘッドレスト収容部１８とを備えている。これらは一体的に形成されていてもよく、各部毎に独立に形成されていてもよい。
【００２１】
ここでは、シートバック収容部１６は、下方にシートクッション側の開口部１６ａを有し、上方にヘッドレスト１３のステー１４が貫通する孔１６ｂが形成された袋状の形態を有しており、シートバック１１の外表面の略全周を被覆している。なお、下方の開口部１６ａはシートフレームの連結部位以外が閉塞されていてもよい。
【００２２】
シートクッション収容部１７は、シートクッション１２の上面、前面左右両面の４方を覆う略袋状の形態を有している。
ヘッドレスト収容部１８は、ステー１４が貫通する図示しない孔を有する他は、全て閉塞された袋状の形態を有している。
これらの各収容部１６、１７、１８は、シートバック１１、シートクッション１２、ヘッドレスト１３の表面に密着していてもよいが、この実施形態では、各収容部１６、１７、１８は、収容し易いという理由で、各部材１１、１２、１３より大きく形成されて、各部材１１、１２、１３の外表面との間に隙間が形成されている。
【００２３】
このシート用カバー１５は、車両の室内に存在する揮発性有機化合物を低減除去する物質が含有された樹脂フィルムにより形成されている。
揮発性有機化合物は、車両用シート、ドア、ルーフ等、各種の自動車内装部品の構成材料から発生する物質も多く、自動車内装部品の布地、革、合成皮革、ウレタン等の樹脂、接着剤、塗料などから揮発する有機化合物が含まれている。具体的には、トルエン、キシレン、ホルムアルデヒド、アセトアルデヒドなどが例示できる。
【００２４】
このような揮発性有機化合物を低減除去する物質としては、揮発性有機化合物を表面で分解可能な触媒作用を有する光触媒、揮発性有機化合物を吸着可能な活性炭等の吸着材などを例示できる。
この実施の形態では、シート用カバー１５として、図２に示すように、光触媒２０を含有する樹脂フィルム２１を用いている。
【００２５】
この光触媒２０としては、車両の室内に照射される太陽光の紫外線により、室内に存在する揮発性有機化合物を分解可能なものが好ましく、例えば二酸化チタンや、二酸化チタンにアパタイトが結合したもの等の酸化チタン触媒などが例示でき、室温で車両の室内に照射される太陽光の紫外線により活性化されるものが好適である。このような酸化チタンからなる光触媒としては、例えば、ナノアロマ−やジュピター（昭和電工株式会社製、商標）などが例示できる。
【００２６】
一方、光触媒２０を含有させる樹脂フィルム２１としては、少なくとも、シート用カバー１５の内表面まで太陽光の紫外線が透過して光触媒を活性化できる程度の透明性を有するものである必要がある。
同時に、シート用カバー１５の内部の気体が容易に放出或いは流入しない程度に自動車内装部品の外表面と外部との空気の流通を低減又は阻害する、好ましくは阻止するように被覆できる必要がある。その際、シート用カバー１５の一部に各種の理由で孔等が設けられていても使用可能であるが、揮発性有機化合物が通過しない、或いは、無視できる程度にしか透過しない程度の気密性を有するフィルムが好適である。
【００２７】
このような樹脂フィルム２１を構成する材料としては、例えばポリエチレンテレフタレート等のポリエステル、高密度ポリエチレン、低密度ポリエチレンなどの樹脂が例示できる。その場合、前記のような要求を満足できるという理由で、好ましくは２５μｍ以上５０μｍ以下の厚さとするのが好適である。
【００２８】
この実施の形態のシート用カバー１５は、特に限定されるものではないが、前記のような光触媒２０を樹脂フィルム２１を構成する材料に均一に混合して、押出し成形或いはインフレーション成形することにより得ることができる。
その際、光触媒２０と樹脂との混合比は、製品カバーであるシート用カバー１５により被覆される自動車内装部品である車両用シート１０の性状、即ち、揮発される揮発性有機化合物の量や性質に応じて適宜選択することが可能である。
【００２９】
このシート用カバー１５は、図２に模式的に示すように、光触媒の少なくとも一部の表面が樹脂フィルム２１の表裏両面に露出されているのが好ましい。
【００３０】
以上のような構成を有するシート用カバー１５は、シートバック収容部１６にシートバック１１を収容し、シートクッション収容部１７にシートクッション１２を収容し、ヘッドレスト収容部１８にヘッドレスト１３をそれぞれ収容して、各部材の外表面を外部との空気の流通を低減又は阻害するように装着して使用される。
ここでは、車両用シート１０の製造時或いは終了後に装着してもよく、車両用シート１０を車両に組み付けた状態で装着してもよい。
【００３１】
このようにして使用されるシート用カバー１５によれば、車両の室内に配置される揮発性有機化合物の発生源となる車両用シート１０の外表面が、外部との空気の流通を低減又は阻害するように樹脂フィルム２１により覆われるので、車両用シート１０から発生する揮発性有機化合物が室内全体に拡散し難く、シート用カバー１５内に滞留し易い。
【００３２】
この状態で、樹脂フィルム２１に光触媒２０が含有されているため、シート用カバー１５内に滞留する揮発性有機化合物を、樹脂フィルム２１の内表面側に存在する光触媒２０の作用により分解することができる。そのため、揮発性有機化合物が車両の室内に拡散される場合に比べて、シート用カバー１５内の小さい容積内で高い濃度で光触媒２０に接触させることができる。
【００３３】
しかも、トルエンやキシレン等が分解されて新たな揮発性有機化合物が生成される可能性が生じたとしても、この新たに生じる揮発性有機化合物もシート用カバー１５内に滞留するため、これらの揮発性有機化合物も光触媒の作用により、二酸化炭素や水に分解することができる。
【００３４】
また、樹脂フィルム２１の外表面側に存在する光触媒２０により、車両の室内に拡散されている揮発性有機化合物を分解することができる。
従って、車両用シート１０から発生する揮発性有機化合物を滞留させて効率よく分解すると共に、拡散されている揮発性有機化合物をも分解できるため、車両の室内の揮発性有機化合物を効率よく低減除去することが可能である。
【００３５】
その際、光触媒２０が樹脂フィルム２１の内表面側に配置されていても、樹脂フィルム２１が透明であるため、外部から樹脂フィルム２１を透過した太陽光の紫外線により触媒を活性化して分解を促進することができる。そのため、内部に特別な光源を用いたり、多量の触媒を用いる必要がなく、簡易に揮発性有機化合物の低減除去を行うことができる。
【００３６】
また、この実施の形態では、シート用カバー１５に車両用シート１０の各部の収容部１６、１７、１８が形成されているので、車両用シート１０から発生する揮発性有機化合物や、その揮発性有機化合物の分解により生じる新たな揮発性有機化合物を、透明樹脂フィルム２１内に滞留させることが容易であり、揮発性有機化合物をより分解し易い。
【００３７】
特に、シートバック１１、シートクッション１２、ヘッドレスト１３を別々の収容部１６、１７、１８に収容しているので、車両用シート１０をより小さい容積のシート用カバー１５で覆うことができ、車両用シート１０から発生する揮発性有機化合物をより効率よく低減除去することが可能である。
同時に、これによりシート用カバー１５全体の表面積を車両用シート１０の表面積と同等に広く確保することができるため、車両の室内に配置される光触媒の面積をより広く確保でき、車両の室内に分散された揮発性有機化合物をより低減除去させ易い。
【００３８】
なお、上記実施の形態では、製品カバーとして、車両用シート１０の製造後から使用開始時までの間装着されるカバーの例について説明したが、特に限定されることはない。例えば、自動車内装部品としては、ドアトリム、ルーフ等であってもよく、製品カバーとしては、使用開始後に必要に応じて適宜装着されるカバーであってもよい。
平面状の自動車内装用部品の場合、製品カバーは平面状の形態であってもよく、これによっても製品カバーの自動車内装部品側に揮発性有機化合物を滞留させて分解することが可能である。
【００３９】
また、上記実施の形態では、光触媒２０を含有して透明性を有する樹脂フィルム２１を用いた例について説明したが、揮発性有機化合物を低減除去する物質として、吸着材等の他の物質を含有する樹脂フィルムを用いることも可能である。その際、揮発性有機化合物を低減除去する物質として光触媒を用いない場合には、樹脂フィルム２１として透明性を有しないものも使用可能である。
【００４０】
更に、上記実施の形態のシート用カバー１５では、３つの収容部から形成された例を示したが、車両用シート１０を上方から纏めて被覆できる一方のみが開口した一つの袋状の形態とすることも可能である。
【００４１】
また、上記では、シートバック１１、シートクッション１２、及びヘッドレスト１３の外表面と、シートバック収容部１６、シートクッション収容部１７、及びヘッドレスト収容部１８の内表面との間に間隙が形成できる大きさのシート用カバー１５の例を示したが、シートバック１１、シートクッション１２、及びヘッドレスト１３の外表面に密着するように形成してもよく、シート用カバーの容積を小さくして揮発性有機化合物をより低減除去させ易くできる。
【実施例】
【００４２】
次に、実施例について説明する。
実施例１，２
光触媒を含有する透明樹脂フィルムを用いて容積５Ｌの側面視矩形の製品カバーとしての袋状容器を作製し、内部にトルエン又はアセトアルデヒドを５０ｐｐｍ含有する空気を容積分充填して密封し、袋状容器の片面側全面から１ｍＷ／ｃｍ２の紫外線を継続して照射することにより、袋状容器内のトルエン濃度又はアセトアルデヒド濃度の経時変化を測定した。
【００４３】
ここで、透明樹脂フィルムは、光触媒としての二酸化チタン（ジュピター、昭和電工株式会社製、商標）を、低密度ポリエチレンに含有させたもので、厚さは５０μｍであった。
結果を図３及び図４に示す。
【００４４】
比較例１，２
光触媒を用いない他は、全て実施例１、２と同一にして、袋状容器内のトルエン濃度又はアセトアルデヒド濃度の経時変化を測定した。
結果を図３及び図４に示す。
【００４５】
図３及び４から明らかなように、光触媒を含有する透明ポリマーシートを用いた実施例１、２は、光触媒を含有しない比較例１、２に比べて、顕著に濃度が低減した。このことより、この製品カバーでは、内部に滞留する揮発性有機化合物を分解除去できることが明らかであった。
【図面の簡単な説明】
【００４６】
【図１】本発明の実施の形態のシート用カバーが車両用シートに装着された状態を示す斜視図である。
【図２】図１のシート用カバーの一部の断面を模式的に示す断面図である。
【図３】実施例１及び比較例１の結果を示すグラフである。
【図４】実施例２及び比較例２の結果を示すグラフである。
【符号の説明】
【００４７】
１０  車両用シート
１５  シート用カバー
１６  シートバック収容部
１７  シートクッション収容部
１８  ヘッドレスト収容部
２０  光触媒
２１  樹脂フィルム
【図１】
2007191668.tif 000003
【図２】
2007191668.tif 000004
【図３】
2007191668.tif 000005
【図４】
2007191668.tif 000006